(57)【特許請求の範囲】
【請求項１】
浴室の出入口に設けられる浴室戸保持枠の下枠の取付構造において、
浴室の防水パンの脱衣室側の端部に凹部を形成し、
前記下枠には、下側に少なくとも中空部を有する浴室側部分と、その浴室側部分から脱衣室側に延出する脱衣室側部分とを設けるとともに、浴室側部分と脱衣室側部分に前記防水パンの上面とほぼ面一に連続する上面を備え、前記脱衣室側部分の延出側端部に垂直壁と、その垂直壁の下端部から脱衣室側に張出す固定縁とを設け、
前記下枠の浴室側部分を前記防水パンの凹部に嵌合載置し、かつ、前記固定縁を土台又は根太などの横材の上面に載置して固定し、その後に前記横材に固着される床板の上面と前記下枠の上面とをほぼ面一に連続させることを特徴とする浴室戸保持枠の下枠の取付構造。
【請求項２】
横材の上面に載置された床板の端部を下枠の垂直壁に当接させ、かつ、前記床板の端部下面に形成した切欠凹部に前記下枠の固定縁を収容させて前記床板を取付けるようにしたことを特徴とする請求項１に記載された浴室戸保持枠の下枠の取付構造。
【請求項３】
下枠の脱衣室側部分の垂直壁よりも浴室側部分に、床板の上面よりも上方に延び、閉鎖された浴室戸の脱衣室側面に密着するタイト材を設けたことを特徴とする請求項２に記載された浴室戸保持枠の下枠の取付構造。
【請求項４】
下枠の脱衣室側部分のタイト材よりも脱衣室側の部位にカバー材嵌着部を設け、前記カバー材嵌着部には、そのカバー材嵌着部と固定縁を被覆する被覆部とその被覆部の端部に設けられた垂直壁とを有するカバー材を嵌着し、前記垂直壁に床板の端部を当接して取付けることを特徴とする請求項３に記載された浴室戸保持枠の下枠の取付構造。
【請求項５】
下枠の垂直壁又はカバー材の垂直壁に、その垂直壁と床板の端部との間の隙間を隠蔽する凸部が設けられていることを特徴とする請求項２又は４に記載された浴室戸保持枠の下枠の取付構造。
【発明の詳細な説明】
【０００１】
【発明の属する技術分野】
本発明は、浴室の出入口に設けられる戸（以下、浴室戸という。）を保持する枠体（以下、浴室戸保持枠という。）の下枠の取付構造に関する。
【０００２】
【従来の技術】
浴室戸を開閉自在に保持するため、浴室構成部材に浴室戸保持枠が固定され、その浴室戸保持枠に浴室戸が取付けられるが、従来は、浴室戸は浴室施工業者が浴室施工時に、すなわち、浴室の現場製作時又は浴室設置時に取付けている。とくに、浴室が床パン、浴槽、周壁及び天井を一体的に有するユニットバスの場合は、浴室設置施工の際に浴室戸の取付が行われる。
【０００３】
【発明が解決しようとする課題】
ところが、従来は、浴室戸保持枠の下枠の脱衣室側端部を脱衣室の床板に載置し、これにねじ止めなどにより固定しているため、脱衣室の床板取付・仕上げを先に完成して置かないと、浴室戸保持枠の下枠の脱衣室側端部の固定ができないという不都合があった。
【０００４】
これを図３に示す従来例に基づいて説明すると、１０はＦＲＰ製の床パンであり、浴室戸２０を開閉自在に保持する矩形に組み立てられている浴室戸保持枠の下枠３０は、その浴室側部分３１が床パン１０の周縁端部に固定されている。そして、下枠３０の脱衣室側部分に形成されている固定縁３２は土台又は根太などの横材４０に予め取付けてある床板５０の端部上面に載せて、木ねじ６０により固定している。
【０００５】
このように、浴室の設置施工と下枠の固定作業は、脱衣室の床仕上げの完了を待って行わなければならないため、浴室施工業者が独自に施工日程を決定して実施することができず、作業能率が低いという問題があった。また、浴室の現場製作又は設置などの施工作業時に、すでに完成している床板の仕上げ面を損傷するおそれがあるなどの問題点があった。
【０００６】
本発明は、上記の点に鑑みてなされたものであり、その目的は、脱衣室の床板仕上げが完成していなくても、浴室施工、中でも浴室戸保持枠の下枠の固定作業を行うことができ、よって、浴室施工の能率の向上を図ることにある。
【０００７】
【課題を解決するための手段】
上記課題を解決するため、本発明は、浴室の出入口に設けられる浴室戸保持枠の下枠の取付構造において、浴室の防水パンの脱衣室側の端部に凹部を形成し、前記下枠には、下側に少なくとも中空部を有する浴室側部分と、その浴室側部分から脱衣室側に延出する脱衣室側部分とを設けるとともに、浴室側部分と脱衣室側部分に前記防水パンの上面とほぼ面一に連続する上面を備え、前記脱衣室側部分の延出側端部に垂直壁と、その垂直壁の下端部から脱衣室側に張出す固定縁とを設け、前記下枠の浴室側部分を前記防水パンの凹部に嵌合載置し、かつ、前記固定縁を土台又は根太などの横材の上面に載置して固定し、その後に前記横材に固着される床板の上面と前記下枠の上面とをほぼ面一に連続させることを特徴としている（請求項１）。
上記構成により、浴室戸保持枠の下枠はその下側に少なくとも中空部を有する浴室側部分が防水パンの端部の凹部に嵌合載置され、かつ、固定縁が横材の上面に載置して固定されるので、下枠単独で防水パンの端部と横材に十分な安定性と強度を持って固定される。そして、下枠を横材に固定した後に脱衣室の床板を前記下枠の脱衣室側部分の垂直壁に近接させて取付けることができる。すなわち、脱衣室の床仕上げが完成していなくとも、下枠の取付を行うことができる。
【０００８】
本発明を実施する場合は、横材の上面に載置された床板の端部を下枠の垂直壁に当接させ、かつ、前記床板の端部下面に形成した切欠凹部に前記下枠の固定縁を収容させて前記床板を取付ける構造とすることが望ましい（請求項２）。
上記構成により、下枠の固定縁を土台又は根太などの横材に固定した後、脱衣室の床板の端部を横材の上面に載置して下枠の垂直壁に当接し、切欠凹部に下枠の固定縁を嵌合被覆させて床板を取付けることができるので、下枠の固定を脱衣室の床板施工の前に行うことができ、浴室の取付施工の能率が向上し、かつ、床板の浴室側端部が安定した状態で下枠に連続される。
【０００９】
さらに、本発明においては、上記下枠の脱衣室側部分の垂直壁よりも浴室側部分に、床板の上面よりも上方に延びて、閉鎖された浴室戸の脱衣室側面に密着するタイト材を設けることが望ましい（請求項３）。
この構成により、タイト材は床板の上面よりも上方に延びるので、浴室戸を開放した状態で脱衣室を清掃する時に、ゴミなどが浴室内に容易に入り込むことが防止される。また、タイト材は閉鎖された浴室戸の脱衣室側面に密着するので、浴室内の暖気又は湿気が脱衣室に浸入すること、又は脱衣室から浴室内に冷気が浸入することが防止される。
【００１０】
さらに、本発明においては、上記下枠の脱衣室側部分のタイト材よりも脱衣室側の部位にカバー材嵌着部を設け、前記カバー材嵌着部には、そのカバー材嵌着部と固定縁を被覆する被覆部とその被覆部の端部に設けられた垂直壁とを有するカバー材を嵌着し、前記垂直壁に床板の端部を当接して取付けることが望ましい（請求項４）。
上記構成により、下枠の固定縁を土台又は根太にねじ又は釘で固定し、カバー材をカバー材嵌着部に嵌着することにより、下枠の固定を脱衣室の床板施工の前に行うことができ、浴室の取付施工の能率が向上し、かつ、下枠の取付後にカバー材の垂直壁に床板の端部を当接して取付けるので、床仕上げ面の損傷を防止することができる。
【００１１】
前記下枠の垂直壁又はカバー材の垂直壁には、その垂直壁と床板端部との間の隙間を隠蔽する凸部が設けられていることが望ましい（請求項５）。
上記構成により、下枠の脱衣室側端部と床板の端部との間の隙間が露見されず、美観が向上し、水滴やごみの浸入が防止される。
【００１２】
【発明の実施の形態】
次に、本発明の実施の形態について、図面に基づいて説明する。
図１は本発明の第一実施例の縦断面図、図２は本発明の第二実施例の縦断面図である。図３の従来技術と同一の又は相当する部材には、同一の符号を用いる。
【００１３】
図１の実施例において、２０は浴室戸であり、図１にはその下部のみが示されている。図示された浴室戸２０は折り戸の場合であるので、下端部に一対のスライダ２１が設けられている。
３０Ａは浴室戸２０を開閉自在に保持する矩形に組み立てられている浴室戸保持枠の下枠であり、図示を省略されている縦枠及び上枠とともに、既知の浴室戸保持枠と同様の浴室戸保持枠を構成している。浴室戸保持枠は、周知のＦＲＰ製のユニットバスのバスコアに形成してある出入口に取り付けられている。
そして、下枠３０Ａは、浴室側部分３１とその浴室側部分から脱衣室側に延出する脱衣室側部分３２とを有している。そして、下枠３０Ａは、すなわち、浴室側部分３１と脱衣室側部分３２は、防水パンの上面とほぼ面一に連続する上面を備えている。浴室側部分３１はその下側に中空部３１ａと垂下壁３１ｂを有していて、床パン１０の周縁部に設けてある凹部１１に嵌合して載置され、かつ、前記脱衣室側部分３２が床パン１０の凹部１１よりも外側（脱衣室側）に張出されている。
３３は下枠３０Ａに設けられ、浴室戸２０の一対のスライダ２１の間に嵌合されてスライダを案内するレールであり、３４は下枠３０Ａの脱衣室側部分３２に上方に突出させて取付けられた弾性樹脂製のタイト材である。
【００１４】
下枠３０Ａの脱衣室側部分３２には、タイト材３４取付部分よりも脱衣室側の端部にＬ字形に連続する垂直壁３２ａと固定縁３２ｂとが設けられている。固定縁３２ｂは垂直壁３２ａの下端部から脱衣室側に延出されていて、その長手方向に適当な間隔をもってねじ穴が形成されている。そして、好ましい実施態様においては、垂直壁３２ａの上端部に脱衣室側に突出する凸部３２ｃが形成されている。また、固定縁３２ｂの下面に、テープ状のシール材３５が添設されている。
【００１５】
前記下枠３０Ａを固定するには、上記のように枠体を取付けたバスコア（図示省略）を建物の中の浴室を形成する位置に収容設置し、床パン１０を所要の間隔をもって地面などに配置されている既知の高さ調整可能な支持金具７０に支持させて位置決めした後、下枠３０Ａの固定縁３２ｂを土台又は根太などの横材４０に載置し、その固定縁３２ｂの前記ねじ穴から木ねじ６０をねじ込んで下枠３０Ａを固定する。
【００１６】
通常は、以上までのバスコアの設置作業及び下枠の固定作業、すなわち、浴室施工は、浴室施工業者が行う。
そして、その後に、大工が脱衣室の床板５０の取付を行う。この時は、床板５０の端部下面にＬ形の切欠凹部５１を形成し、床板の端部を下枠３０Ａの垂直壁３２ａに当接し、かつ、下枠の固定縁３２ｂ及び木ねじ６０に丸ねじを用いる場合はそのねじ頭をも切欠凹部５１に収容した状態で、床板５０を横材４０に固定する。その際に、垂直壁３２ｂの上端部に形成してある凸部３２ｃが床板５０の端部と垂直壁３２ａとの間の隙間を露見させないように覆う。
この状態で、床板５０の上面と下枠３０Ａの上面と床パン１０の上面とがほぼ面一に連続するので、浴室戸保持枠の下枠３０Ａのバリアフリー取付施工、すなわち、床パン１０の上面と脱衣室の床板５０の上面との間に段差が無い状態での取付施工が終了する。
なお、大工は脱衣室の施工の際に、床板５０の取付けのほか、枠体の縦枠及び上枠を周知のように浴室出入口の周囲に設けられる木枠（図示省略）にねじ止めするのが通常である。
【００１７】
続いて、図２に基づいて第二実施例について第一実施例と異なる点のみを説明すると、下枠３０Ｂの脱衣室側部分３２には、カバー材嵌着部３２ｄが形成され、そのカバー材嵌着部３２ｄよりも脱衣室側に第一実施例における垂直壁及び固定縁と同様の垂直壁３２ａ及び固定縁３２ｂが形成されている。そして、カバー材嵌着部３２ｄにはカバー材３６が嵌着可能である。カバー材３６は、カバー材嵌着部３２ｄと固定縁３２ｂとを覆う水平な被覆部３６ａと、その被覆部の端部から垂設された垂直壁３６ｃを有して、ほぼ横転Ｌ字形に形成されている。被覆部３６ａの浴室側の半分の下面に一対の弾性係止片３６ｂが設けられて、その係止片をカバー材嵌着部３２ｄに押圧することにより、カバー材３６を下枠３０Ｂに嵌着することができる。また、カバー材３６の垂直部分３６ｃの上端部は、下枠の垂直壁の凸部３２ｃと同様の凸部３６ｄが形成されている。
【００１８】
上記構成を有する下枠３０Ｂは、第一実施例の場合と同様に、脱衣室の床板５０を取付ける前に、固定縁３２ｂを土台又は根太などの横材４０の上面に載置し、木ねじ６０を横材４０にねじ込んで固定する。続いて、カバー材３６の係止片３６ｂを下枠３０Ｂのカバー材嵌着部３２ｄに押し込んで嵌着する。これにより、浴室施工は終了する。その後、脱衣室の施工時に、床板５０の端部を横材４０に載せ、その端部をカバー材３６の垂直壁３６ｃに当接し、かつ、凸部３６ｄにより床板５０の端部と垂直壁３６ｃとの間の隙間を隠蔽して、床板５０を固定する。
なお、カバー材３６を取外した状態で床板５０を固定し、その後にカバー材３６を嵌着しても良い。
第二実施例においても、図２に示されているように、床板５０の上面と下枠３０Ｂの上面と床パン１０の上面はほぼ面一に連続して、下枠がバリアフリーに取り付けられている。
【００１９】
図１及び図２には、浴室戸２０が折り戸の場合の例が示されているが、浴室戸は開き戸又は引き戸であっても良い。また、下枠３０Ａ，３０Ｂ及びカバー材３６は、金属製、樹脂製の形材あるいはその複合材のいずれで作ってもよい。
【００２０】
【発明の効果】
上述のように、請求項１の発明によれば、浴室戸保持枠の下枠の上面が床パンの上面及び脱衣室の床板の上面とほぼ面一に連続するから、バリアフリーの下枠取付が可能である。また、下枠の下側に少なくとも中空部を有する浴室側部分が床パンの凹部に嵌合載置され、固定縁が横材に載置固着されるので、下枠単独で防水パンの端部と横材に十分な安定性と強度を持って固定される。そして、下枠を横材に固定した後に脱衣室の床板を前記下枠の脱衣室側部分に設けてある垂直壁に近接させて取付けることができるので、脱衣室の床仕上げが完成していなくとも、下枠の取付を行うことができる。従って、浴室施工、中でも浴室戸保持枠の固定作業を脱衣室施工から独立して行うことができる。よって、浴室施工の能率が格段に向上する。また、脱衣室の床板は浴室施工後に取付けられるから、床仕上げ面が損傷されることがない。
【００２１】
請求項３の発明によれば、下枠の上面壁の垂直壁よりも浴室側部分に、床板の上面よりも上方に延びるタイト材を設けたので、浴室戸開放状態で脱衣室を清掃する時にゴミなどが浴室内に容易に入り込まない。また、そのタイト材は、閉鎖された浴室戸の脱衣室側面に密着するので、浴室内の暖気又は湿気が脱衣室に浸入すること、又は脱衣室から浴室内に冷気が浸入することが防止される。
【００２２】
請求項４の発明によれば、浴室の取付施工の能率が向上し、かつ、床仕上げ面の損傷を防止することができるほか、タイト材を設けたことによる上述の効果が付加的に奏される。
【００２３】
さらに、請求項５の発明によれば、タイト材を設けたことによる上述の効果のほかに、下枠の脱衣室側端部と床板の端部との間の隙間が露見されず、美観が向上し、水滴やごみの浸入が防止される効果が得られる。
【図面の簡単な説明】
【図１】  本発明の第一実施例の縦断面図。
【図２】  本発明の第二実施例の縦断面図。
【図３】  従来技術を示す縦断面図。
【符号の説明】
１０      浴室の床パン
２０      浴室戸
３０Ａ，３０Ｂ      浴室戸保持枠の下枠
３１ａ    中空部
３１ｂ    垂下壁
３１      下枠の浴室側部分
３２      下枠の脱衣室側部分
３２ａ    垂直壁
３２ｂ    固定縁
３２ｃ    凸部
３２ｄ    カバー材嵌着部
３４      タイト材
３５      防水シール材
３６      カバー材
３６ｃ    垂直壁
３６ｄ    凸部
４０      土台又は根太などの横材
５０      脱衣室の床板
【図１】
0003749071.tif 000002
【図２】
0003749071.tif 000003
【図３】
0003749071.tif 000004